(57)【要約】天井埋め込み型エアコン（１００）であって、前記天井埋め込み型エアコン（１００）は、頂板（１１）と、頂板（１１）に接続され、かつ頂板（１１）の外周に周設されるパネル（１２）と、を備えるケーシング（１）と、ケーシング（１）内に設けられ、かつパネル（１２）と共に吹出風路（２１）を画定する熱交換器（２）と、熱交換器（２）の下方に設けられる水受け皿（３）と、熱交換器（４）の外側に熱交換器（４）と離間して設けられ、水入口（４１）と水出口（４２）とを有し、水入口（４１）が水受け皿（３）と連通する、ドレンポンプ（４）と、を備える。【選択図】図１０
2021529929.tif 000002
【特許請求の範囲】
【請求項１】
頂板と、前記頂板に接続され、かつ前記頂板の外周に周設されるパネルと、を備えるケーシングと、
前記ケーシング内に設けられ、かつ前記パネルと共に吹出風路を画定する熱交換器と、
前記熱交換器の下方に設けられる水受け皿と、
前記熱交換器の外側に前記熱交換器と離間して設けられ、水入口と水出口とを有し、前記水入口が前記水受け皿と連通する、ドレンポンプと、を備える、
ことを特徴とする天井埋め込み型エアコン。
【請求項２】
前記パネルの外側に設けられ、かつ前記パネルに接続された取付ケーシングをさらに備え、前記ドレンポンプは、前記取付ケーシングに設けられる、
ことを特徴とする請求項１に記載の天井埋め込み型エアコン。
【請求項３】
前記取付ケーシングには、排水管が設けられ、前記水出口は、前記排水管と連通する、
ことを特徴とする請求項２に記載の天井埋め込み型エアコン。
【請求項４】
前記排水管は、上下方向に沿って延在する、
ことを特徴とする請求項３に記載の天井埋め込み型エアコン。
【請求項５】
前記排水管は、前記取付ケーシングと一体成形されている、
ことを特徴とする請求項３に記載の天井埋め込み型エアコン。
【請求項６】
前記取付ケーシングは、
一端が前記パネルに接続された第１板体と、
一端が前記第１板体の他端に接続された第２板体と、を備え、
前記第２板体の他端が前記パネルに接続され、前記第２板体と前記第１板体との間に、前記ドレンポンプを取り付けるための取付スペースが画定される、
ことを特徴とする請求項２に記載の天井埋め込み型エアコン。
【請求項７】
前記パネルには、開口部が設けられ、前記ドレンポンプの一部分が前記開口部を貫通して前記吹出風路内まで延在している、
ことを特徴とする請求項２に記載の天井埋め込み型エアコン。
【請求項８】
前記パネルの断面は、多角形であり、前記開口部は、前記パネルのコーナー箇所に形成されている、
ことを特徴とする請求項７に記載の天井埋め込み型エアコン。
【請求項９】
前記取付ケーシングと前記パネルのうちの一方には、フックが設けられ、前記取付ケーシングと前記パネルのうちの他方には、前記フックと係合する引掛孔が設けられる、
ことを特徴とする請求項２に記載の天井埋め込み型エアコン。
【請求項１０】
前記取付ケーシングには、第１ネジ穴が設けられ、前記パネルには、前記第１ネジ穴に対応する第２ネジ穴が設けられる、
ことを特徴とする請求項２〜９のいずれか一項に記載の天井埋め込み型エアコン。
【請求項１１】
第１保温部材をさらに備え、
前記第１保温部材は、前記取付ケーシングの内壁に設けられる、
ことを特徴とする請求項２に記載の天井埋め込み型エアコン。
【請求項１２】
第２保温部材をさらに備え、前記第２保温部材は、
前記頂板の内壁に設けられる本体部と、
一端が前記本体部に接続され、他端が下方に延在する延在部と、を備え、
前記延在部の少なくとも一部分は、前記ドレンポンプと前記熱交換器との間に位置する、
ことを特徴とする請求項１〜１１のいずれか一項に記載の天井埋め込み型エアコン。
【請求項１３】
前記延在部の幅は、前記ドレンポンプの幅以上である、
ことを特徴とする請求項１２に記載の天井埋め込み型エアコン。
【請求項１４】
前記延在部の前記他端は、前記熱交換器の下端面と同一平面まで、または前記熱交換器の下端面を超えて延在する、
ことを特徴とする請求項１２に記載の天井埋め込み型エアコン。
【請求項１５】
前記第２保温部材は、一体成形されたものである、
ことを特徴とする請求項１２〜１４のいずれか一項に記載の天井埋め込み型エアコン。
【請求項１６】
一端が前記頂板に接続され、他端が下方に延在する導流部材をさらに備え、前記導流部材の少なくとも一部分は、前記ドレンポンプと前記熱交換器との間に位置する、
ことを特徴とする請求項１〜１５のいずれか一項に記載の天井埋め込み型エアコン。
【請求項１７】
前記水受け皿は、
前記熱交換器の下方に位置する第１水受け部と、
前記第１水受け部と連通する第２水受け部と、を備え、
前記第２水受け部は、前記ドレンポンプの下方に位置し、かつ前記水入口が前記第２水受け部内まで延びている、
ことを特徴とする請求項１〜１６のいずれか一項に記載の天井埋め込み型エアコン。
【発明の詳細な説明】
【技術分野】
【０００１】
本出願は、出願番号が２０１８１０７７７３６０．０と２０１８２１１２６５３７．２、出願日がいずれも２０１８年０７月１６日の中国特許出願に基づいて提供され、上記中国特許出願の優先権を主張し、それらの全内容が引用により本出願に組み込まれる。
【０００２】
本開示は空気調和の技術分野に関し、特に天井埋め込み型エアコンに関する。
【背景技術】
【０００３】
関連技術では、水受け皿内の凝縮水を抽出するように、天井埋め込み型エアコンの吸込風路内にドレンポンプが設けられる。しかしながら、吸込風路内に設けられたドレンポンプは、吸込風路の気流の均一性を破壊するため、天井埋め込み型エアコンのエネルギー消費を高め、天井埋め込み型エアコンの性能に影響を与える。
【発明の概要】
【課題を解決するための手段】
【０００４】
本開示は、従来技術に存在する技術的課題の１つを少なくとも解決することを目的とする。そのために、本開示の１つの目的は、吸込・吹出が均一で、エネルギー消費が低く、及び動作性能に優れるという利点を有する天井埋め込み型エアコンを提供することである。
【０００５】
本開示の実施例による天井埋め込み型エアコンは、頂板と、前記頂板に接続され、かつ前記頂板の外周に周設されるパネルと、を備えるケーシングと、前記ケーシング内に設けられ、かつ前記パネルと共に吹出風路を画定する熱交換器と、前記熱交換器の下方に設けられる水受け皿と、前記熱交換器の外側に前記熱交換器と離間して設けられ、水入口と水出口とを有し、前記水入口が前記水受け皿と連通する、ドレンポンプと、を備える。
【０００６】
本開示の実施例による天井埋め込み型エアコンは、ドレンポンプを熱交換器の外側に、熱交換器と離間して設けることで、ドレンポンプが吸込風路内のスペースを占用しなくなり、それにより気流のドレンポンプとの衝突損失を低減させ、気流の吸込をより均一にし、気流の流動をよりスムーズにし、ひいては天井埋め込み型エアコンのエネルギー消費を減少させ、天井埋め込み型エアコンの動作性能を向上させることができる。また、熱交換後の一部の気流がドレンポンプと熱交換器とが離間して設けられた風路から室内へ吹出することができ、それによりドレンポンプによる吹出風路内の気流に対する遮蔽を低減することができる。これにより天井埋め込み型エアコンの吹出風路は、環状の連通通路に形成され、埋め込み型エアコンの吹出能力を効果的に向上させ、吹出騒音を低減させ、かつ埋め込み型エアコンの吹出をより均一にすることができ、さらに天井埋め込み型エアコンのエネルギー消費を減少させ、天井埋め込み型エアコンの動作性能を向上させることができる。
【０００７】
本開示のいくつかの実施例によれば、前記埋め込み型エアコンは、前記パネルの外側に設けられ、かつ前記パネルに接続された取付ケーシングをさらに備え、前記ドレンポンプは、前記取付ケーシングに設けられる。
【０００８】
さらに、前記取付ケーシングには、排水管が設けられ、前記水出口は、前記排水管と連通する。
【０００９】
さらに、前記排水管は、上下方向に沿って延在する。
【００１０】
開示されたいくつかの実施例では、前記排水管は、前記取付ケーシングと一体成形されている。
【００１１】
開示されたいくつかの実施例では、前記取付ケーシングは、一端が前記パネルに接続された第１板体と、一端が前記第１板体の他端に接続された第２板体と、を備え、前記第２板体の他端が前記パネルに接続され、前記第２板体と前記第１板体との間に、前記ドレンポンプを取り付けるための取付スペースが画定される。
【００１２】
開示されたいくつかの実施例では、前記パネルには、開口部が設けられ、前記ドレンポンプの一部分が前記開口部を貫通して前記吹出風路内まで延在している。
【００１３】
さらに、前記パネルの断面は、多角形であり、前記開口部は、前記パネルのコーナー箇所に形成されている。
【００１４】
開示されたいくつかの実施例では、前記取付ケーシングと前記パネルのうちの一方には、フックが設けられ、前記取付ケーシングと前記パネルのうちの他方には、前記フックと係合する引掛孔が設けられる。
【００１５】
開示されたいくつかの実施例では、前記取付ケーシングには、第１ネジ穴が設けられ、前記パネルには、前記第１ネジ穴に対応する第２ネジ穴が設けられる。
【００１６】
開示されたいくつかの実施例では、前記埋め込み型エアコンは、第１保温部材をさらに備え、前記第１保温部材は、前記取付ケーシングの内壁上に設けられる。
【００１７】
本開示のいくつかの実施例によれば、前記埋め込み型エアコンは、第２保温部材をさらに備える。前記第２保温部材は、前記頂板の内壁に設けられる本体部と、一端が前記本体部に接続され、他端が下方に延在する延在部とを備え、前記延在部の少なくとも一部分は、前記ドレンポンプと前記熱交換器との間に位置する。
【００１８】
さらに、前記延在部の幅は、前記ドレンポンプの幅以上である。
【００１９】
開示されたいくつかの実施例では、前記延在部の前記他端は、熱交換器の下端面と同一平面まで、または前記熱交換器の下端面を超えて延在する。
【００２０】
開示されたいくつかの実施例では、前記第２保温部材は、一体成形されたものである。
【００２１】
本開示のいくつかの実施例によれば、前記埋め込み型エアコンは、一端が前記頂板に接続され、他端が下方に延在する導流部材をさらに備え、前記導流部材の少なくとも一部分は、前記ドレンポンプと前記熱交換器との間に位置する。
【００２２】
本開示のいくつかの実施例によれば、前記水受け皿は、前記熱交換器の下方に位置する第１水受け部と、前記第１水受け部と連通する第２水受け部とを備え、前記第２水受け部は、前記ドレンポンプの下方に位置し、かつ前記水入口が前記第２水受け部内まで延びている。
【００２３】
本開示の追加の態様および利点は、以下の説明において部分的に説明され、その一部は、以下の説明から明らかなになるか、又は本開示を実施することによって把握できる。
【図面の簡単な説明】
【００２４】
本開示の上記および／または追加の態様および利点は、以下の図面を参照しながら実施例を説明することによって明らかで容易に理解できるようになる。
【図１】図１は本開示の実施例による埋め込み型エアコンの底面図である。
【図２】図２は図１におけるＡ−Ａ箇所の断面図である。
【図３】図３は図１におけるＢ−Ｂ箇所の断面図である。
【図４】図４は図３におけるＣ−Ｃ箇所の断面図である。
【図５】図５は本開示の実施例による埋め込み型エアコンの局部分解図である。
【図６】図６は図５におけるＤ箇所の拡大図である。
【図７】図７は本開示の実施例による埋め込み型エアコンの正面図である。
【図８】図８は図７におけるＥ−Ｅ箇所の断面図である。
【図９】図９は本開示の他の実施例による埋め込み型エアコンの断面図である。
【図１０】図１０は本開示の実施例による埋め込み型エアコンの取付ケーシング、ドレンポンプと第１保温部材の斜視図である。
【図１１】図１１は本開示の実施例による埋め込み型エアコンの取付ケーシング、ドレンポンプと第１保温部材の分解図である。
【図１２】図１２は本開示の実施例による埋め込み型エアコンの取付ケーシング、ドレンポンプと第１保温部材の平面図である。
【図１３】図１３は本開示の実施例による埋め込み型エアコンの取付ケーシング、ドレンポンプと第１保温部材の正面図である。
【図１４】図１４は本開示の実施例による埋め込み型エアコンの取付ケーシング、ドレンポンプと第１保温部材の背面図である。
【発明を実施するための形態】
【００２５】
以下、本開示の実施例を詳細に説明する。前記実施例における例が図面に示され、同一又は類似する符号は、常に同一又は類似する部品、或いは、同一又は類似する機能を有する部品を表す。図面を参照しながら以下に説明される実施例は例示的なものであり、本開示を解釈することを旨とし、本開示を限定するものと理解されるべきではない。
【００２６】
以下、図１〜図１４を参照しながら、本開示の実施例による埋め込み型エアコン１００について説明する。埋め込み型エアコン１００は、天井又は壁に取り付けることができる。
【００２７】
本開示の実施例による埋め込み型エアコン１００は、ケーシング１、熱交換器２、水受け皿３およびドレンポンプ４を備える。
【００２８】
図１および図２に示すように、ケーシング１は、頂板１１と、パネル１２とを備え、パネル１２は、頂板１１に接続され、かつ頂板１１の外周に周設されている。ここで、パネル１２の頂部および底部は、いずれも開口とし、パネル１２の頂部開口部に頂板１１が設けられ、パネル１２と頂板１１との間に、取付スペースが画定される。埋め込み型エアコン１００のパネル組立体１３は、パネル１２の底部開口部に着脱可能に設けられることができる。頂板１１の外周に周設されるパネル１２が設けられることにより、外部とケーシング１内の部品との衝突を回避することができ、埋め込み型エアコン１００の輸送や据付過程での信頼性を向上させることができることを理解されたい。さらに、ケーシング１を介して内部の部品を外部のほこりから離隔することにより、埋め込み型エアコン１００の動作の安定性を向上させることもできる。
【００２９】
図２、図３および図５に示すように、熱交換器２は、ケーシング１内に設けられ、かつパネル１２と共に吹出風路２１を画定し、熱交換器２の内側には、吸込風路１３１が画定される。パネル組立体１３には、吸込口および吹出口が形成され、吹出風路２１は、吹出口に連通され、吸込風路１３１は、吸込口に連通される。室内空気は、吸込口を介して吸込風路１３１へ流れることができ、吸込風路１３１に入った空気は、熱交換器２と熱交換してから吹出風路２１へ流れ、最後に、吹出口を介して室内空間へ吹出して室内環境の温度を調節する。
【００３０】
水受け皿３は、熱交換器２の下方に設けられる。それにより、水受け皿３は、熱交換器２の表面から滴り落ちた凝縮水を収集することができ、それにより凝縮水が室内に直接排出することを回避し、さらに埋め込み型エアコン１００の動作の安定性と信頼性を向上させる。例えば、図４に示される実施例では、パネル１２、熱交換器２、および水受け皿３は、いずれも環状に形成されており、対応する熱交換器２と、パネル１２とによって画定された吹出風路２１も同様に環状に形成されている。
【００３１】
なお、冷房モードでは、気流がケーシング１内に入って熱交換器２と熱交換すると、温度が比較的高い気流は、温度が比較的低い熱交換器２に接触し、気流中の水蒸気が液化すると共に、熱交換器２の表面に水滴状の凝縮水が形成され、凝縮水の増加にともなって、水滴は、徐々に蓄積して大きくなり、かつ重力作用により滴下し始め、水受け皿３に滴下する。
【００３２】
図２、図４、図６および図７に示すように、ドレンポンプ４は、水入口４１と水出口４２とを有し、水入口４１は、水受け皿３と連通する。水出口４２は、埋め込み型エアコン１００外部の送水管路と連通することができる。それにより、水受け皿３内の凝縮水をドレンポンプ４により埋め込み型エアコン１００の外へ搬送し、水受け皿３内の凝縮水を速やかに排出することができ、凝縮水のオーバーフローを防止することが可能となる。
【００３３】
ドレンポンプ４は、熱交換器２の外側（図２に示されている外側）に設けられ、かつ熱交換器２と離間して設けられる。例えば、ドレンポンプ４は、熱交換器２の外側に設けられ、かつドレンポンプ４全体がパネル１２の内側に位置してもよい。または、ドレンポンプ４は、熱交換器２の外側に設けられ、かつドレンポンプ４の一部分がパネル１２の内側に位置し、ドレンポンプ４の残り部分がパネル１２の外側に位置してもよい。または、ドレンポンプ４全体がパネル１２の外側に位置してもよい。
【００３４】
それにより、ドレンポンプ４が吸込風路１３１内のスペースを占用しなくなり、気流の吸込をより均一にし、気流の流動をよりスムーズにし、さらに天井埋め込み型エアコン１００のエネルギー消費を減少させ、天井埋め込み型エアコン１００の動作性能を向上させることができる。また、熱交換後の一部の気流がドレンポンプ４と熱交換器２とが離間して設けられた風路から室内へ吹出することができ、それによりドレンポンプ４による吹出風路２１内の気流に対する遮蔽を低減させる。天井埋め込み型エアコン１００の吹出風路１３１は、環状連通通路に形成され、埋め込み型エアコン１００の吹出能力を効果的に向上させ、吹出騒音を低減させ、埋め込み型エアコン１００の吹出をより均一にすることができ、さらに天井埋め込み型エアコン１００のエネルギー消費を減少させ、天井埋め込み型エアコン１００の動作性能を向上させることができる。
【００３５】
本開示の実施例による埋め込み型エアコン１００は、ドレンポンプ４が熱交換器２の外側に設けられ、かつ熱交換器２と離間して設けられることで、ドレンポンプ４が吸込風路１３１内のスペースを占用しなくなり、それにより気流のドレンポンプ４との衝突損失を低減させ、気流の吸込をより均一にし、気流の流動をよりスムーズにし、さらに天井埋め込み型エアコン１００のエネルギー消費を減少させ、天井埋め込み型エアコン１００の動作性能を向上させることができる。また、熱交換後の一部の気流がドレンポンプ４と熱交換器２とが離間して設けられた風路から室内へ吹出することができ、それによりドレンポンプ４による吹出風路２１内の気流に対する遮蔽を低減させる。天井埋め込み型エアコン１００の吹出風路１３１は、環状連通通路に形成され、埋め込み型エアコン１００の吹出能力を効果的に向上させ、吹出騒音を低減させ、埋め込み型エアコン１００の吹出をより均一にすることができ、さらに天井埋め込み型エアコン１００のエネルギー消費を減少させ、天井埋め込み型エアコン１００の動作性能を向上させることができる。
【００３６】
本開示のいくつかの実施例によれば、図２、図４、図５および図１０に示すように、埋め込み型エアコン１００は、パネル１２の外側に設けられ、かつパネル１２に接続される取付ケーシング５をさらに備え、ドレンポンプ４は、取付ケーシング５に設けられる。それにより、関連技術における埋め込み型エアコンの頂板に設けられるドレンポンプを固定するためのブラケットを廃止することができ、ドレンポンプ４を取付ケーシング５に直接取り付けられることができ、ドレンポンプ４の取付難度を軽減し、ドレンポンプ４の取付効率を向上させ、ドレンポンプ４の取付コストを低減させることができる。また、取付ケーシング５を比較的容易に着脱することにより、ドレンポンプ４の点検難度を軽減し、さらにドレンポンプ４の点検効率を向上させ、ドレンポンプ４のメンテナンスコストを低減させることができる。
【００３７】
例えば、図１０に示されている実施例では、ドレンポンプ４には、接続板４３が設けられ、取付ケーシング５には、固定板５４がさらに設けられ、接続板４３は、取付ケーシング５とドレンポンプ４との接続および固定を実現するように固定板５４と係合することができる。また、取付ケーシング５には、弾性支持体５５がさらに設けられ、弾性支持体５５は、接続板４３と固定板５４との間に設けられる。それにより、取付ケーシング５とドレンポンプ４との密着接続を実現し、ドレンポンプ４の振動を低減させ、振動騒音を低減させることができる。
【００３８】
さらに、図１０および図１１に示すように、取付ケーシング５には、排水管５３が設けられ、水出口４２は、排水管５３と連通する。例えば、水出口４２は、接続管４４を介して排水管５３と連通することができる。本開示のいくつかの実施例では、接続管４４は、ゴム管である。排水管５３は、凝縮水の流れ方向を案内する作用を有する。ドレンポンプ４により水受け皿３内の凝縮水を抽出した後、凝縮水を水出口４２から取付ケーシング５の排水管５３に排出することができ、その後、凝縮水が排水管５３の案内作用により屋外に排出されることを理解されたい。それにより、排水管５３の案内作用により凝縮水を所定の流れ方向に沿って移動させることができる。
【００３９】
本開示のいくつかの実施例では、図１１に示すように、ドレンポンプ４には、ドレンポンプ給水管と、ドレンポンプ排水管とが設けられ、ドレンポンプ給水管は、上下方向に沿って延在することができ、ドレンポンプ排水管は、水平方向に沿って延在することができる。水入口４１は、ドレンポンプ給水管の一端（例えば、図１１に示されている下端）に形成され、水出口４２は、ドレンポンプ排水管の一端に形成されている。
【００４０】
さらに、図５、図６および図９に示すように、排水管５３は、上下方向（図９に示されている上下方向）に沿って延在する。それにより、凝縮水が上下方向に沿って流れることができ、凝縮水が排水管５３又はドレンポンプ４内に貯留することを回避することができ、さらに排水管５３とドレンポンプ４の使用寿命を延ばすことができる。
【００４１】
なお、ドレンポンプ４の動作を停止したときに、排水管５３内の凝縮水は、重力作用によりドレンポンプ４の水出口４２に向かって還流することができ、それによってドレンポンプ４に貯留した凝縮水を押し流して一緒に水受け皿３に還流する。
【００４２】
開示されたいくつかの実施例では、図６に示すように、排水管５３は、取付ケーシング５と一体成形されている。それにより、一体成形された構造は、排水管５３および取付ケーシング５の構造、性能安定性を保証するだけでなく、成形が容易で、構造が簡単で、余分な組立部品および接続工程を廃止し、排水管５３および取付ケーシング５の組立効率を大幅に向上させ、排水管５３と取付ケーシング５との接続信頼性を保証する。また、一体成形された構造の全体的な強度と安定性が比較的高く、組立がより便利で、使用寿命もより長くなる。
【００４３】
開示されたいくつかの実施例では、図６、図１１および図１２に示すように、取付ケーシング５は、一端がパネル１２に接続される第１板体５１と、一端が第１板体５１の他端に接続される第２板体５２と、を備え、第２板体５２の他端がパネル１２に接続され、第２板体５２と第１板体５１との間に、ドレンポンプ４を取り付けるための取付スペースが画定される。それにより、第１板体５１と第２板体５２は、ドレンポンプ４に対する保護作用を有し、外部とドレンポンプ４との衝突することを回避し、輸送中のドレンポンプ４の信頼性を向上させることができる。また、第１板体５１と第２板体５２により、ドレンポンプ４のユーザの可視範囲への露出を回避することができ、それにより天井埋め込み型エアコン１００の外観の美観性を増すことができる。
【００４４】
例えば、図１２に示されている実施例では、第１板体５１が第２板体５２に対して垂直である。
【００４５】
開示されたいくつかの実施例では、図１および図４示すように、パネル１２には、開口部１２１が設けられ、ドレンポンプ４の一部分が開口部１２１を貫通して吹出風路２１まで延びている。それにより、ドレンポンプ４が占用する吹出風路２１のスペースを減少させ、ドレンポンプ４による吹出風路２１内の気流に対する遮蔽を低減させ、気流の流動をよりスムーズにし、天井埋め込み型エアコン１００のエネルギー消費を減少させ、天井埋め込み型エアコン１００の動作性能を向上させながら、天井埋め込み型エアコン１００の占用スペースを減少させ、天井埋め込み型エアコン１００のコンパクト性を向上させることができる。
【００４６】
さらに、図１、図４および図８に示すように、パネル１２の断面は、多角形であり、例えば、パネル１２は、８角形に形成されていてもよい。開口部１２１は、パネル１２のコーナー箇所に形成されている。開口部１２１をパネル１２のコーナー箇所に設けることにより、ドレンポンプ４が天井埋め込み型エアコン１００の外観面に突出しすぎることを回避することができ、それにより天井埋め込み型エアコン１００の占用スペースを減少させ、天井埋め込み型エアコン１００をよりコンパクトかつ美観にすることができることを理解されたい。
【００４７】
開示されたいくつかの実施例では、図８および図１０に示すように、取付ケーシング５とパネル１２のうちの一方には、フック５６が設けられ、取付ケーシング５とパネル１２のうちの他方には、フック５６と係合する引掛孔が設けられる。取付ケーシング５には、フック５６が設けられ、パネル１２には、フック５６と係合する引掛孔が設けられてもよいし、または、パネル１２には、フック５６が設けられ、取付ケーシング５には、フック５６と係合する引掛孔が設けられてもよいことを理解されたい。それにより、フック５６と引掛孔との係合により取付ケーシング５とパネル１２との位置合わせ接続を実現することで、取付ケーシング５の取付難度を軽減し、さらに取付ケーシング５の取付効率を向上させることができる。
【００４８】
開示されたいくつかの実施例では、図６および図１１に示すように、取付ケーシング５には、第１ネジ穴５７が設けられ、パネル１２には、第１ネジ穴５７に対応する第２ネジ穴１２２が設けられる。取付ケーシング５を取り付けるときに、取付ケーシング５とパネル１２との接続固定を実現するように取付ケーシング５の第１ねじ孔とパネル１２の第２ネジ穴１２２内に締結部材を挿設することができることを理解されたい。それにより、取付ケーシング５の取付難度を軽減し、取付ケーシング５の取付効率を向上させることができる。また、取付ケーシング５を取り外すときに、第１ねじ孔とパネル１２の第２ネジ穴１２２内に挿設された締結部材を取り外すだけでよく、操作が簡単で、それによりドレンポンプ４の取り外しを容易にする。
【００４９】
例えば、図６および図１１に示されている実施例では、取付ケーシング５の上端（図１１に示されている上端）の近くには、２つのフック５６が間隔で設けられ、取付ケーシング５の下端（図１１に示されている下端）の近くには、２つの第１ネジ穴５７が間隔を空けて設けられ、パネル１２には、フック５６および第１ネジ穴５７にそれぞれ係合する引掛孔および第２ネジ穴１２２が設けられる。
【００５０】
取付ケーシング５を取り付けるときに、まず、取付ケーシング５上のフック５６をパネル１２の引掛孔に引っ掛けることで、取付ケーシング５とパネル１２の上端部との位置合わせおよび固定を実現し、その後、第１ネジ穴５７と第２ネジ穴１２２内に締結部材を挿設して、取付ケーシング５とパネル１２の下端部との固定を実現し、それにより取付ケーシング５とパネル１２との間の固定接続を実現させる。
【００５１】
取付ケーシング５を取り外すときに、まず、第１ネジ穴５７と第２ネジ穴１２２内に挿設された締結部材を取り外し、その後、垂直な方向で（図１１に示されている上下方向）取付ケーシング５を上方に押し上げて、取付ケーシング５のフック５６をパネル１２の引掛孔から取り外させ、それにより取付ケーシング５の取り外しを完成させる。それにより、取付ケーシング５の構造が簡単化され、取付ケーシング５の着脱をより容易にさせることができる。
【００５２】
開示されたいくつかの実施例では、図１および図１１に示すように、埋め込み型エアコン１００は、第１保温部材６も備え、第１保温部材６は、取付ケーシング５の内壁に設けられる。第１保温部材６は、保温の作用を有し、第１保温部材６を介して熱交換後の気流を取付ケーシング５から隔離することができ、熱交換後の気流と取付ケーシング５との間の熱交換量を減少させ、エネルギー損失を効果的に低減し、室内空気に対して熱交換をより良く実現することができ、さらに埋め込み型エアコン１００の室内温度に対する調節速度を速めることができることを理解されたい。本開示のいくつかの実施例では、第１保温部材６は、発泡体部材またはプラスチック部材である。
【００５３】
本開示のいくつかの実施例によれば、図２および図９に示すように、埋め込み型エアコン１００は、第２保温部材７をさらに備える。第２保温部材７は、頂板１１の内壁に設けられる本体部７１と、一端が本体部７１に接続され、他端が下方に延在する延在部７２とを備え、延在部７２の少なくとも一部分は、ドレンポンプ４と熱交換器２との間に位置する。延在部７２がドレンポンプ４と熱交換器２との間に部分的にのみ配置されたものであってもよく、延在部７２全体がドレンポンプ４と熱交換器２との間に配置されたものであってもよいことを理解されたい。それにより、熱交換後の気流を第２保温部材７の案内作用により所定の方向に沿って移動させることができ、それにより熱交換後の気流がドレンポンプ４を直撃することを回避できるとともに、気流がドレンポンプ４の位置に渦が生じることを回避することができ、さらに天井埋め込み型エアコン１００のエネルギー消費を減少させ、天井埋め込み型エアコン１００の動作性能を向上させることができる。
【００５４】
例えば、図２に示されている実施例では、延在部７２の一端が本体部７２に接続され、他端が下方に延在し、かつ垂直な方向において、延在部７２の長さは、熱交換器２の長さのほぼ半分に等しい。
【００５５】
さらに、延在部７２の幅は、ドレンポンプ４の幅以上である。それにより、延在部７２は、ドレンポンプ４の幅方向に対する遮蔽をより良く実現することができ、熱交換後の気流がドレンポンプ４を直撃することが不可となり、それにより気流のドレンポンプ４との衝突損失をさらに低減させ、さらに天井埋め込み型エアコン１００のエネルギー消費を減少させ、天井埋め込み型エアコン１００の動作性能を向上させることができる。
【００５６】
開示されたいくつかの実施例では、図９に示すように、延在部７２の他端（図９に示されている下端）は、熱交換器２の下端面（図９に示されている下端面）と同一平面まで、または熱交換器の下端面を超えて延在する。それにより、延在部７２は、ドレンポンプ４の長手方向に対する遮蔽をより良く実現することができ、熱交換後の気流を延在部７２の案内作用により天井埋め込み型エアコン１００の吹出口から室内へ吹出することができ、それにより熱交換後の気流がドレンポンプ４を直撃することを回避できるとともに、気流がドレンポンプ４の位置に渦が生じることを回避でき、さらに天井埋め込み型エアコン１００のエネルギー消費を減少させ、天井埋め込み型エアコン１００の動作性能を向上させることができる。
【００５７】
開示されたいくつかの実施例では、図９に示すように、第２保温部材７は、一体成形されたものである。それにより、一体成形された構造は、本体部７１および延在部７２の構造、性能安定性を保証するだけでなく、成形が容易で、構造が簡単で、余分な組立部品および接続工程を廃止し、本体部７１および延在部７２の組立効率を大幅に向上させ、本体部７１と延在部７２との接続信頼性を保証する。また、一体的に成形された構造の全体的な強度と安定性が比較的高く、組立がより便利で、使用寿命がより長くなる。本開示のいくつかの実施例では、第２保温部材７は、発泡体部材またはプラスチック部材である。
【００５８】
本開示のさらなる実施例によれば、埋め込み型エアコン１００は、一端が頂板１１に接続され、他端が下方に延在する導流部材をさらに備え、導流部材の少なくとも一部分は、ドレンポンプ４と熱交換器２との間に位置する。導流部材は、ドレンポンプ４と熱交換器２との間に部分的にのみ配置されたものであってもよく、導流部材全体が、ドレンポンプ４と熱交換器２との間に配置されたものであってもよいことを理解されたい。それにより、熱交換後の気流を導流部材の案内作用により所定の方向に沿って移動することができ、それにより熱交換後の気流がドレンポンプ４を直撃することを回避することができ、または、気流がドレンポンプ４の位置に渦が生じることを回避することができ、さらに天井埋め込み型エアコン１００のエネルギー消費を減少させ、天井埋め込み型エアコン１００の動作性能を向上させることができる。
【００５９】
本開示のいくつかの実施例によれば、図２および図９に示すように、水受け皿３は、熱交換器２の下方に位置する第１水受け部３１と、第１水受け部３１と連通する第２水受け部３２とを備え、第２水受け部３２は、ドレンポンプ４の下方に設けられ、かつ水入口４１が第２水受け部３２内まで延びている。それにより、ドレンポンプ４の水入口４１を水受け皿３の第２水受け部３２まで直接延ばして、ドレンポンプ４が水入口４１を介して水受け皿３内の凝縮水を抽出することができ、それによりドレンポンプ４の水入口４１と水受け皿３との間に接続管路を設ける必要がなく、さらに埋め込み型エアコン１００の構造を簡単化することが可能となり、埋め込み型エアコン１００の組立効率を向上させることができる。
【００６０】
なお、本開示の説明において、「長さ」、「幅」、「上」、「下」、「内」、「外」などの用語が示す方位又は位置関係は、図面に示す方位又は位置関係に基づき、本開示を便利に又は簡単に説明するためのものであり、指定された装置又は部品が特定の方位にあり、特定の方位において構造され操作されると指示又は暗示するものではないので、本開示を限定するものと理解してはいけない。
【００６１】
次に、図１乃至１４を参照しながら、本開示の実施例による埋め込み型エアコン１００の具体的な構成について説明する。当然のことながら、以下の説明は、本開示を解釈するためのものであり、本開示に対する制限として理解されるべきではないことを理解できる。
【００６２】
図１、図２および図４に示すように、本開示の実施例による埋め込み型エアコン１００は、ケーシング１、熱交換器２、水受け皿３、ドレンポンプ４、取付ケーシング５、第１保温部材６、及び第２保温部材７を備える。
【００６３】
図２、図４および図５に示すように、ケーシング１は、頂板１１と、パネル１２と、パネル組立体１３と、を備える。パネル１２は、８角形に形成され、パネル１２の頂部および底部は、いずれも開口とし、パネル１２の頂部開口部には、頂板１１が設けられ、パネル１２と頂板１１との間に、取付スペースが画定される。パネル１２には、開口部１２１が設けられ、開口部１２１は、パネル１２のコーナー箇所に形成されている。パネル組立体１３は、パネル１２の底部開口部に設けられ、パネル組立体１３には、吸込風路１３１に連通する吸込口と、吹出風路２１に連通する吹出口とが設けられる。
【００６４】
図２、図４および図６に示すように、熱交換器２は、環状に形成され、熱交換器２は、ケーシング１内に設けられ、かつパネル組立体１３の上方（図２に示されている上方）に位置し、熱交換器２は、パネル１２と共に環状の吹出風路２１を画定する。ドレンポンプ４は、熱交換器２の外側（図４に示されている外側）に設けられ、かつ熱交換器２と離間して設けられる。ドレンポンプ４には、ドレンポンプ給水管と、ドレンポンプ排水管とが設けられ、ドレンポンプ給水管は、上下方向に沿って延在することができ、ドレンポンプ排水管は、水平方向に沿って延在することができる。水入口４１は、ドレンポンプ給水管の一端（例えば、図１１に示されている下端）に形成され、水出口４２は、ドレンポンプ排水管の一端に形成されている。ドレンポンプ給水管は、パネル１２の内側、熱交換器２の外側に位置し、ドレンポンプ排水管は、パネル１２の外側に位置する。
【００６５】
図８、図１０および図１１に示すように、取付ケーシング５は、パネル１２の外側に設けられ、かつパネル１２に接続され、ドレンポンプ４および第１保温部材６は、いずれも取付ケーシング５に設けられ、かつ第１保温部材６は、ドレンポンプ４と取付ケーシング５との間に位置する。取付ケーシング５に排水管５３がさらに設けられ、排水管５３は、上下方向（図１１に示されている上下方向）に沿って延在し、かつ排水管５３とドレンポンプ４との間は、接続管４４を介して連通している。
【００６６】
具体的には、図６および図１１に示すように、取付ケーシング５は、一端がパネル１２に接続される第１板体５１と、一端が第１板体５１の他端に接続される第２板体５２と、を備え、第２板体５２の他端がパネル１２に接続され、第２板体５２と第１板体５１との間に、ドレンポンプ４を取り付けるための取付スペースが画定される。取付ケーシング５には、２つのフック５６および第１ネジ穴５７が設けられ、パネル１２には、フック５６および第１ネジ穴５７にそれぞれ係合する引掛孔および第２ネジ穴１２２が設けられる。
【００６７】
図２に示すように、水受け皿３は、熱交換器２の下方に位置する第１水受け部３１と、第１水受け部３１と連通する第２水受け部３２とを備え、第２水受け部３２は、ドレンポンプ４の下方に位置し、かつ水入口４１が第２水受け部３２内に延び込んでいる。
【００６８】
図２に示すように、第２保温部材７は、頂板１１の内壁に設けられる本体部７１と、一端が本体部７１に接続され、他端が下方に延在する延在部７２とを備え、本体部７１と延在部７２は、一体成形されたものであり、延在部７２の一部分は、ドレンポンプ４と熱交換器２との間に位置する。ここで、延在部７２の幅は、ドレンポンプ４の幅に等しい、垂直な方向において、延在部７２の長さは、熱交換器２の長さのほぼ半分に等しい。
【００６９】
本明細書の説明において、「一実施例」、「いくつかの実施例」、「例示的な実施」「例」、「具体的な例」又は「いくつかの例」などの用語を参考した説明とは、当該実施例又は例に合わせて説明された具体的な特徴、構造、材料、又は特性が、本開示の少なくとも１つの実施例又は例に含まれることを意味する。本明細書において、上記用語に対する例示的な説明は必ずしも同一の実施例又は例を示すことではない。また、説明された具体的な特徴、構造、材料、又は特性は、いずれか１つ又は複数の実施例又は例において適切な形態で結合することができる。
【００７０】
以上、本開示の実施例を示して説明したが、当業者であれば、本開示の原理と主旨から逸脱することなく、本開示の範囲内でこれらの実施例に対してさまざまな修正、取り替え及び変形を行うことができ、本開示の範囲は特許請求の範囲とその等価物により限定されることを理解できる。
【符号の説明】
【００７１】
埋め込み型エアコン１００、ケーシング１、頂板１１、パネル１２、開口部１２１、第２ネジ穴１２２、パネル組立体１３、吸込風路１３１、熱交換器２、吹出風路２１、水受け皿３、第１水受け部３１、第２水受け部３２、ドレンポンプ４、水入口４１、水出口４２、接続板４３、接続管４４、取付ケーシング５、第１板体５１、第２板体５２、排水管５３、固定板５４、弾性支持体５５、フック５６、第１ネジ穴５７、第１保温部材６、第２保温部材７、本体部７１、延在部７２。
【図１】
2021529929.tif 000003
【図２】
2021529929.tif 000004
【図３】
2021529929.tif 000005
【図４】
2021529929.tif 000006
【図５】
2021529929.tif 000007
【図６】
2021529929.tif 000008
【図７】
2021529929.tif 000009
【図８】
2021529929.tif 000010
【図９】
2021529929.tif 000011
【図１０】
2021529929.tif 000012
【図１１】
2021529929.tif 000013
【図１２】
2021529929.tif 000014
【図１３】
2021529929.tif 000015
【図１４】
2021529929.tif 000016
【国際調査報告】
2021529929.tif 000017
2021529929.tif 000018
2021529929.tif 000019
2021529929.tif 000020
2021529929.tif 000021
2021529929.tif 000022